(57)【要約】      （修正有）【課題】駆動效率を極大化することができるエネルギー回収回路を提供する。【解決手段】ソース電圧源Ｖｓを分圧して基準電圧より大きい第１電圧Ｖ１のエネルギーを供給して基準電圧より小さな第２電圧Ｖ２のエネルギーを回収するエネルギー供給回収部３００と、第１電圧Ｖ１のエネルギーが共振を通じて電極ＥＬＤに供給されるように経路を形成し、 電極ＥＬＤから共振を通じて第２電圧Ｖ２のエネルギーが回収されるように経路を形成する経路選択制御部３１０と、第１電圧Ｖ１のエネルギーが共振を通じて電極ＥＬＤに供給された後第３電圧Ｖ３を電極ＥＬＤに印加し、電極から共振を通じて第２電圧Ｖ２のエネルギーが回収された後第４電圧Ｖ４を電極に印加する電圧維持部３２０を含む。基準電圧より大きい第１電圧Ｖ１にあたるエネルギーが共振を通じて電極ＥＬＤに供給されるので、電極の電圧は充分にサステイン電圧に到達することができる。【選択図】図５
2006079086.tif 000002
【特許請求の範囲】
【請求項１】
電極を含むプラズマディスプレイパネルと、
第１電圧源電圧を分圧して基準電圧より大きい第１電圧のエネルギーを供給して前記基準電圧より小さな第２電圧のエネルギーを回収するエネルギー供給回収部と、
前記第１電圧のエネルギーが共振を通じて前記電極に供給されるように経路を形成して、 前記電極から共振を通じて前記第２電圧のエネルギーが回収されるように経路を形成する経路選択制御部と、
前記第１電圧のエネルギーが共振を通じて前記電極に供給された後に３電圧を前記電極に印加し、前記電極から共振を通じて前記第２電圧のエネルギーが回収された後に第４電圧を前記電極に印加する電圧維持部と、
を含むプラズマディスプレイ装置。
【請求項２】
前記エネルギー供給回収部は、
直列で繋がれて前記第１電圧源電圧を分圧して前記第１電圧と前記第２電圧を形成する３個以上のキャパシターを含むことを特徴とする、 請求項１記載のプラズマディスプレイ装置。
【請求項３】
前記エネルギー供給回収部は直列で繋がれた第１キャパシター、 第２キャパシター及び第３キャパシターを含み、
前記第１キャパシターの一方端は前記第１電圧源と繋がれて、前記第２キャパシターの一方端は前記第１キャパシターの他の方端と繋がれて、 前記第３キャパシターの一方端は前記第２キャパシターの他方端と繋がれて、
前記第１キャパシターと前記第２キャパシターの連結端に前記第１電圧が形成されて、 前記第２キャパシターと前記第３キャパシターの連結端に前記第２電圧が形成されることを特徴とする、請求項１記載のプラズマディスプレイ装置。
【請求項４】
前記３個以上のキャパシターそれぞれは等しいキャパシタンスを持つことを特徴とする、 請求項２記載のプラズマディスプレイ装置。
【請求項５】
前記基準電圧は、
前記第３電圧の ０．５倍にあたる電圧であることを特徴とする、 請求項１記載のプラズマディスプレイ装置。
【請求項６】
前記第１電圧源の電圧と前記第３電圧は等しいを特徴とする、 請求項１記載のプラズマディスプレイ装置。
【請求項７】
前記第４電圧はグラウンドレベルの電圧であることを特徴とする、 請求項１記載のプラズマディスプレイ装置。
【請求項８】
前記経路選択制御部は、
前記第１電圧にあたるエネルギーの供給経路を形成する第１スイッチ、 前記第２電圧にあたるエネルギーの回収経路を形成する第２スイッチ及びターンオンされた前記第１スイッチを通じて供給された前記第１電圧にあたるエネルギーを共振を通じて前記電極に供給して前記第２電圧にあたるエネルギーを共振によってターンオンされた前記第２スイッチに回収されるようにするインダクターを含むことを特徴とする、 請求項１記載のプラズマディスプレイ装置。
【請求項９】
前記第３電圧は前記第１電圧より大きく且つ前記第４電圧は前記第２電圧より小さいことを特徴とする、請求項１記載のプラズマディスプレイ装置。
【請求項１０】
直列で繋がれて第１電圧源を分圧する３個以上のキャパシターを含んで基準電圧より大きい第１電圧のエネルギーを供給して前記基準電圧より小さな第２電圧のエネルギーを回収するエネルギー供給回収部と、
前記第１電圧のエネルギーが共振を通じて前記電極に供給されるように経路を形成して、 
前記電極から共振を通じて前記第２電圧のエネルギーが回収されるように経路を形成する経路選択制御部と、
前記第１電圧のエネルギーが共振を通じて前記電極に供給された後に第３電圧を前記電極に印加し、前記電極から共振を通じて前記第２電圧のエネルギーが回収された後に第４電圧を前記電極に印加する電圧維持部と、
を含むプラズマディスプレイ装置。
【請求項１１】
前記エネルギー供給回収部は、直列で繋がれた第１キャパシター、 第２キャパシター及び第３キャパシターを含み、
前記第１キャパシターの一方端は前記第１電圧源と繋がれて、 前記第２キャパシターの一方端は前記第１キャパシターの他の方端と繋がれて、 前記第３キャパシターの一方端は前記第２キャパシターの他方端と繋がれて、
前記第１キャパシターと前記第２キャパシターの連結端に前記第１電圧が形成されて、
前記第２キャパシターと前記第３キャパシターの連結端に前記第２電圧が形成されることを特徴とする、請求項１０に記載のプラズマディスプレイ装置。
【請求項１２】
前記３個以上のキャパシターそれぞれは等しいキャパシタンスを持つことを特徴とする、 請求項１０記載のプラズマディスプレイ装置。
【請求項１３】
前記基準電圧は、
前記第３電圧の０．５倍にあたる電圧であることを特徴とする、 請求項１０記載のプラズマディスプレイ装置。
【請求項１４】
前記第１電圧源の電圧と前記第３電圧は等しいを特徴とする、 請求項１０記載のプラズマディスプレイ装置。
【請求項１５】
前記第４電圧はグラウンドレベルの電圧であることを特徴とする、 請求項１０記載のプラズマディスプレイ装置。
【請求項１６】
前記経路選択制御部は、
前記第１電圧にあたるエネルギーの供給経路を形成する第１スイッチ、 前記第２電圧にあたるエネルギーの回収経路を形成する第２スイッチ及びターンオンされた前記第１スイッチを通じて供給された前記第１電圧にあたるエネルギーを共振を通じて前記電極に供給して前記第２電圧にあたるエネルギーを共振によってターンオンされた前記第２スイッチに回収されるようにするインダクターを含むことを特徴とする、 請求項１０記載のプラズマディスプレイ装置。
【請求項１７】
前記第３電圧は前記第１電圧より大きく且つ前記第４電圧は前記第２電圧より小さいことを特徴とする、請求項１０記載のプラズマディスプレイ装置。
【請求項１８】
電極を含むプラズマディスプレイパネルの駆動方法において、
基準電圧より大きい第１電圧のエネルギーを共振を通じて前記電極に供給する段階と、第３電圧を前記電極に印加する段階と、
前記電極から共振を通じて前記基準電圧より小さな第２電圧のエネルギーを前記エネルギー供給回収部で回収する段階と、
第４電圧を前記電極に印加する段階と、
を含むプラズマディスプレイ装置の駆動方法。
【請求項１９】
前記基準電圧は、
前記第３電圧の０．５倍にあたる電圧であることを特徴とする、 請求項１８記載のプラズマディスプレイ装置の駆動方法。
【請求項２０】
前記第１電圧源の電圧と前記第３電圧は等しいを特徴とする、 請求項１８記載のプラズマディスプレイ装置の駆動方法。
【請求項２１】
前記第４電圧はグラウンドレベルの電圧であることを特徴とする、 請求項１８記載のプラズマディスプレイ装置の駆動方法。
【請求項２２】
前記第３電圧は前記第１電圧よりも大きく且つ前記第４電圧は前記第２電圧よりも小さいことを特徴とする、請求項１８記載のプラズマディスプレイ装置の駆動方法。
【発明の詳細な説明】
【技術分野】
【０００１】
本発明はプラズマディスプレイ装置及びプラズマディスプレイ装置の駆動方法に関し、より詳しくはエネルギー回収回路を含むプラズマディスプレイ装置及びそれの駆動方法に関する。
【背景技術】
【０００２】
一般的にプラズマディスプレイパネル(Ｐｌａｓｍａ  Ｄｉｓｐｌａｙ  Ｐａｎｅｌ)はＨｅ＋ＸｅまたはＮｅ＋Ｘｅ不活性混合ガスの放電の時発生する１４７ｎｍの紫外線によって蛍光体を発光させることで文字またはグラフィックを含んだ画像を表示する。 
【０００３】
図１は一般的なプラズマ表示パネルへの構造を示す斜視図である。 図１に示すように、 プラズマ表示パネル上部基板１０上に形成されたスキャン電極１２Ａ及びサステイン電極１２Ｂと、下部基板１８上に形成されられたアドレス電極２０を備える。
【０００４】
スキャン電極１２Ａとサステイン電極１２Ｂそれぞれは透明電極及びバス電極を含む。 透明電極はインジウムティンオキサイド(Ｉndｉum-Tｉn-Oxｉde :ＩＴＯ)で形成される。 バス電極は抵抗を減らすための金属で形成される。
【０００５】
スキャン電極１２Ａとサステイン電極１２Ｂが形成された上部基板１０には上部誘電体層１４と保護膜１６が積層される。
【０００６】
上部誘電体層１４にはプラズマ放電の時発生された壁電荷が蓄積される。 保護膜１６はプラズマ放電の時発生されたスパッタリング（ｓｐｕｔｔｅｒｉｎｇ）による上部誘電体層１４の損傷を防止することと共に２次電子の放出效率を高めるようになる。 保護膜１６は通常酸化マグネシウム(ＭｇＯ)に形成される。
【０００７】
一方、 アドレス電極２０が形成された下部基板１８上には下部誘電体層２２、 隔壁２４が形成される。 下部誘電体層２２と隔壁２４の表面には蛍光体層２６が塗布される。
【０００８】
アドレス電極２０はスキャン電極１２Ａ及びサステイン電極１２Ｂと交差される方向に形成される。 隔壁２４はアドレス電極２０と並んで形成されて放電によって生成された紫外線及び可視光が接した放電セルに漏洩することを防止する。
【０００９】
蛍光体層２６はプラズマ放電の時発生された紫外線によって励起されて赤色、緑色または青色の中でいずれか一つが可視光を発生する。 上/下部基板(１０、１８)と隔壁２４の間に用意された放電セルの放電空間には放電のためのＨｅ＋Ｘｅまたは Ｎｅ＋Ｘｅなどの不活性混合ガスが注入される。
【００１０】
図２は従来のプラズマディスプレイ装置のエネルギー回収回路を示すのである。 図３は従来のプラズマディスプレイ装置のエネルギー回収回路の理想的な動作によって形成される電流の電圧の波形図である。
【００１１】
従来のエネルギー回収回路はパネルの放電を維持するサステインパルスを印加するために４段階で動作する。
【００１２】
段階１で第１スイッチ（Ｓ１）がターンオンされて残りスイッチがターンオフされればキャパシター（Ｃｓｓ）に充電されたエネルギーがインダクター(Ｌ)との共振を通じてパネルに供給される。 したがって図３に示すように、 インダクター(Ｌ)の電流(ＩＬ)が陽の正弦波を形成してパネルの電圧はサステイン電圧（Ｖｓ）まで上昇する。
【００１３】
段階 ２では第１スイッチ（Ｓ１）がターンオン状態を維持して第３スイッチ（Ｓ３）がターンオンされる。 これによってパネルにサステイン電圧（Ｖｓ）が供給される。 この時パネルの電圧はサステイン電圧（Ｖｓ）を維持する。
【００１４】
段階 ３では第２スイッチ（Ｓ２）がターンオンされて残りのスイッチがターンオフされる。 これによってパネルに供給されたエネルギーがインダクター(Ｌ)との共振を通じてキャパシター（Ｃｓｓ）に回収される。 したがって図３に示すように、 インダクター(Ｌ)の電流(ＩＬ)が陰の正弦波を形成してパネルの電圧はサステイン電圧（Ｖｓ）からグラウンドレベルまで降りる。
【００１５】
段階 ４では第４スイッチ（Ｓ４）がターンオンされてグラウンドレベルの電圧をパネルに印加する。 これによって図３に示すようにパネルはグラウンドレベルを維持する。
【００１６】
この時、 キャパシター（Ｃｓｓ）はサステイン電圧（Ｖｓ）の０．５倍にあたるエネルギーを供給して回収する。 エネルギーの供給及び回収がインダクター(Ｌ)との共振を通じて行われるのでキャパシター（Ｃｓｓ）の供給するエネルギーはサステイン電圧（Ｖｓ）とグラウンドレベル（ｇｒｏｕｎｄ  ｌｅｖｅｌ）の中間値にあたるエネルギーである。
【００１７】
従来のエネルギー回収回路が理想的に動作すれば、パネルの電圧はグラウンドレベル（０Ｖ）からサステイン電圧（Ｖｓ）まで上昇した後、サステイン電圧（Ｖｓ）からグラウンドレベル（０Ｖ）まで降りる。 この場合エネルギー回収回路の效率は１００％である。 しかし実際エネルギー回収回路の效率は１００％にならない。
【００１８】
図４は従来のエネルギー回収回路の実際の動作によって形成される波形を示す。 図４に示すように、 パネルの電圧はサステイン電圧（Ｖｓ）まで上昇することができず
にＶｓより Ｖｄ小さな電圧までのみ上昇する。 同じくパネルの電圧はグラウンドレベルまで降りることができずにグランドレベルよりもＶｄ’大きい電圧までのみ下降する。
【００１９】
このような誤差(Ｖｄ、 Ｖｄ’)の発生する理由は実装された駆動回路及び回路部品での漏洩電力消耗などが発生するからである。 したがって、エネルギー回収回路の效率を上昇させるということは Ｖｄを最小化すると言える。
【発明の開示】
【発明が解決しようとする課題】
【００２０】
本発明の目的は、駆動效率を極大化することができるエネルギー回収回路を含むプラズマディスプレイ装置及びプラズマディスプレイ装置の駆動方法を提供することにある。
【課題を解決するための手段】
【００２１】
本発明のプラズマディスプレイ装置は電極を含むプラズマディスプレイパネルと、 ソース電圧源を分圧して基準電圧より大きい第１電圧のエネルギーを供給して前記基準電圧より小さな第２電圧のエネルギーを回収するエネルギー供給回収部と、前記第１電圧のエネルギーが共振を通じて前記電極に供給されるように経路を形成して、 前記電極から共振を通じて前記第２電圧のエネルギーが回収されるように経路を形成する経路選択制御部と、   前記第１電圧のエネルギーが共振を通じて前記電極に供給された後第３電圧を前記電極に印加して、 前記電極から共振を通じて前記第２電圧のエネルギーが回収された後第４電圧を前記電極に印加する電圧維持部を含む。
【００２２】
本発明のプラズマディスプレイ装置は直列で繋がれてソース電圧源を分圧する ３個以上のキャパシターを含み基準電圧より大きい第１電圧のエネルギーを供給して前記基準電圧より小さな第２電圧のエネルギーを回収するエネルギー供給回収部と、前記第１電圧のエネルギーが共振を通じて前記電極に供給されるように経路を形成して、 前記電極から共振を通じて前記第２電圧のエネルギーが回収されるように経路を形成する経路選択制御部と、前記第１電圧のエネルギーが共振を通じて前記電極に供給された後第３電圧を前記電極に印加し、前記電極から共振を通じて前記第２電圧のエネルギーが回収された後第４電圧を前記電極に印加する電圧維持部を含む。
【００２３】
本発明のプラズマディスプレイ装置の駆動方法は基準電圧より大きい第１電圧のエネルギーを共振を通じて前記電極で供給する段階と、 第３電圧を前記電極に印加する段階と、   前記電極から共振を通じて前記基準電圧より小さな第２電圧のエネルギーを前記エネルギー供給回収部で回収する段階と、第４電圧を前記電極に印加する段階を含む。
【００２４】
前記エネルギー供給回収部は、 直列で繋がれて前記ソース電圧源を分圧して前記第１電圧と前記第２電圧を形成する３個以上のキャパシターを含むことを特徴とする。
【００２５】
前記エネルギー供給回収部は直列で繋がれた第１キャパシター、 第２キャパシター及び第３キャパシターを含み、 前記第１キャパシターの一方端は前記ソース電圧源と繋がれて、   前記第２キャパシターの一方端は前記第１キャパシターの他の方端と繋がれて、 前記第３キャパシターの一方端は前記第２キャパシターの他方端と繋がれて、 前記第１キャパシターと前記第２キャパシターの連結端に前記第１電圧が形成されて、 前記第２キャパシターと前記第３キャパシターの連結端に前記第２電圧が形成されることを特徴とする。
【００２６】
前記３個以上のキャパシターそれぞれは等しいキャパシタンスを持つことを特徴とする。
【００２７】
前記基準電圧は、 前記第３電圧の０．５倍にあたる電圧であることを特徴とする。
【００２８】
前記ソース電圧源の電圧と前記第３電圧は等しいを特徴とする。
【００２９】
前記第４電圧はグラウンドレベルの電圧であることを特徴とする。
【００３０】
前記経路選択制御部は、前記第１電圧にあたるエネルギーの供給経路を形成する第１スイッチ、 前記第２電圧にあたるエネルギーの回収経路を形成する第２スイッチ及びターンオンされた前記第１スイッチを通じて供給された前記第１電圧にあたるエネルギーを共振を通じて前記電極に供給して前記第２電圧にあたるエネルギーを共振によってターンオンされた前記第２スイッチに回収されるようにするインダクターを含むことを特徴とする。
【発明の効果】
【００３１】
本発明はエネルギー供給回収部が基準電圧より大きいエネルギーを供給して基準電圧より小さなエネルギーを回収することで駆動效率を向上させることができる。
【発明を実施するための最良の形態】
【００３２】
以下では本発明による具体的な実施形態を添付された図面を参照して説明する。
【００３３】
図５は本発明によるプラズマディスプレイ装置の構成図である。 図５に示すように、 本発明のプラズマディスプレイ装置はプラズマディスプレイパネル（Ｐａｎｅｌ）、 エネルギー供給回収部３００、 経路選択制御部３１０及び電圧維持部３２０を含む。
【００３４】
プラズマディスプレイパネル（Ｐａｎｅｌ）は電極（ＥＬＤ）を含む。 この時電極（ＥＬＤ）はスキャン電極またはサステイン電極であることが望ましい。
【００３５】
エネルギー供給回収部３００は基準電圧より大きい第１電圧のエネルギーを供給して前記基準電圧より小さな第２電圧のエネルギーを回収する。 この時、基準電圧はプラズマディスプレイパネルの放電を維持するためのサステインパルスを形成するサステイン電圧の ０．５倍にあたるのが望ましい。 したがって第１電圧はサステイン電圧の ０．５倍の電圧より大きいことが望ましく、第２電圧はサステイン電圧の ０．５倍の電圧より小さなことが望ましい。
【００３６】
このようなエネルギー供給回収部３００は、第１キャパシター（Ｃｓ１）、第２キャパシター（Ｃｓ２）及び第３キャパシター（Ｃｓ３）を含む。 第１キャパシター（Ｃｓ１）、 第２キャパシター（Ｃｓ２）及び第３キャパシター（Ｃｓ３）は直列接続により電気的に接続されている。第１キャパシター（Ｃｓ１）の一方端はソース電圧源（Ｖｓｏｕｒｃｅ）と電気的に繋がれる。 第２キャパシター（Ｃｓ２）の一方端は第１キャパシター（Ｃｓ１）の他の方端と電気的に繋がれる。 第３キャパシター（Ｃｓ３）の一方端は第２キャパシター（Ｃｓ２）の他の方端と繋がれる。 この時、第１電圧（Ｖ１）にあたるエネルギーは、第１キャパシター（Ｃｓ１）と第２ キャパシター（Ｃｓ２）の連結ノードを通じて供給される。 また第２電圧（Ｖ２）にあたるエネルギーは第２キャパシター（Ｃｓ２）及び第３キャパシター（Ｃｓ３）の連結ノードを通じて回収される。 
なお図６に示すように、エネルギー供給回収部３００’は ３ 個以上のキャパシター（Ｃｓ１〜Ｃｓ４）を利用して構成されることもできる。 すなわち、 エネルギー供給回収部３００’を構成するそれぞれのキャパシターに印加される電圧の大きさは各キャパシターのキャパシタンスによって第１電圧源を分配した結果である。 したがって第１キャパシター（Ｃｓ１）と第２キャパシター（Ｃｓ２）の連結ノードの第１電圧（Ｖ１）が基準電圧より大きく且つ第３キャパシター（Ｃｓ３）と第４ キャパシター（Ｃｓ４）の連結ノードの第２電圧（Ｖ２）が基準電圧より小さければ、図 ６のエネルギー供給回収部３００’と図 ５のエネルギー供給回収部３００は等しい動作を遂行する。
経路選択制御部３１０は、エネルギー供給回収部３００から供給受けた第１電圧のエネルギーを共振を通じて電極（ＥＬＤ）に供給して、 電極（ＥＬＤ）から共振を通じて第２電圧のエネルギーをエネルギー供給回収部３００に供給する。 このような経路選択制御部３１０は第１スイッチ（Ｓ１）、 第２スイッチ（Ｓ２） 及びインダクター(Ｌ)を含む。 第１スイッチ（Ｓ１）は、エネルギー供給回収部３００から供給される第１電圧（Ｖ１）にあたるエネルギーの供給経路を形成する。 第２スイッチ（Ｓ２）は、エネルギー供給回収部３００に回収される第２電圧（Ｖ２）にあたるエネルギーの回収経路を形成する。 インダクター(Ｌ)は、ターンオンされた第１スイッチ（Ｓ１）を通じて供給された第１電圧（Ｖ１）にあたるエネルギーを共振を通じて電極（ＥＬＤ）に供給して第２電圧（Ｖ２）にあたるエネルギーを共振によってターンオンされた第２スイッチ（Ｓ２）に回収されるようにする。
【００３７】
電圧維持部３２０は、経路選択制御部３００によって第１電圧（Ｖ１）のエネルギーが共振を通じて電極（ＥＬＤ）に供給された後第３電圧（Ｖ３）を前記電極に印加し、 電極（ＥＬＤ）から共振を通じて第２電圧（Ｖ２）のエネルギーがエネルギー供給回収部３００に回収された後第４電圧（Ｖ４）を電極に印加する。 この時、第３電圧（Ｖ３）はサステイン電圧（Ｖｓ）であるのが望ましくて、 第４電圧（Ｖ４）はグラウンドレベルの電圧が望ましい。
【００３８】
次に図面を参照して本発明の駆動方法を詳しく説明する。
【００３９】
図７は本発明によるプラズマディスプレイ装置の駆動方法による駆動波形図の第１実施形態である。
【００４０】
第１スイッチ（Ｓ１）がターンオンして残りスイッチがターンオフすれば、 エネルギー供給回収部３００は基準電圧より大きい第１電圧（Ｖ１）にあたるエネルギーをインダクター(Ｌ)との共振を通じて電極（ＥＬＤ）に供給する。
【００４１】
例えば第１キャパシター（Ｃｓ１）、 第２キャパシター（Ｃｓ２）及び第３キャパシター（Ｃｓ３）の容量が等しいとすると、第１キャパシター（Ｃｓ１）、 第２キャパシター（Ｃｓ２）及び第３キャパシター（Ｃｓ３）それぞれに印加される電圧はソース電圧源（Ｖｓｏｕｒｃｅ）から印加された電圧の１/３である。 したがってソース電圧源（Ｖｓｏｕｒｃｅ）の供給する電圧がサステイン電圧（Ｖｓ）で、 基準電圧がサステイン電圧（Ｖｓ）の ０．５倍の時、 第１キャパシター（Ｃｓ１）と第２キャパシター（Ｃｓ２）の連結ノードでの第１電圧（Ｖ１）はサステイン電圧（Ｖｓ）の２/３倍であるので ０．５倍のサステイン電圧（Ｖｓ）より大きい。 このように基準電圧より大きい第１電圧（Ｖ１）にあたるエネルギーが共振を通じて電極（ＥＬＤ）に供給されるので電極（ＥＬＤ）の電圧は充分にサステイン電圧（Ｖｓ）に到逹することができる。 これによって図４に示された Ｖｄが最小化又は消去できる。
【００４２】
以後、第３スイッチ（Ｓ３）のターンオンによって第３電圧（Ｖ３＝Ｖｓ）が電極（ＥＬＤ）に印加されて電極（ＥＬＤ）の電圧は第３電圧（Ｖ３＝Ｖｓ）で維持される。
【００４３】
次に第２スイッチ（Ｓ２）がターンオンして残りスイッチがターンオフすれば、 エネルギー供給回収部３００は基準電圧より小さな第２電圧（Ｖ２）にあたるエネルギーをインダクター(Ｌ)との共振を通じて電極（ＥＬＤ）から回収する。
【００４４】
例えば第１キャパシター（Ｃｓ１）、 第２キャパシター（Ｃｓ２）及び第３キャパシター（Ｃｓ３）の容量が同じだったら、 第１キャパシター（Ｃｓ１）、 第２キャパシター（Ｃｓ２）及び第３キャパシター（Ｃｓ３）それぞれに印加される電圧はソース電圧源（Ｖｓｏｕｒｃｅ）から印加された電圧の１/３である。 したがってソース電圧源（Ｖｓｏｕｒｃｅ）の供給する電圧がサステイン電圧（Ｖｓ）で、 基準電圧がサステイン電圧（Ｖｓ）の ０．５倍の時、 第２キャパシター（Ｃｓ２）と第３キャパシター（Ｃｓ３）の連結ノードでの第２電圧（Ｖ２）はサステイン電圧（Ｖｓ）の１/３倍なので ０．５倍のサステイン電圧（Ｖｓ）より小さい。 このように基準電圧より小さな第２電圧（Ｖ２）にあたるエネルギーが共振を通じて電極（ＥＬＤ）から回収されるので電極（ＥＬＤ）の電圧は充分にグラウンドレベルまで到逹することができる。 これによって図４に示された Ｖｄ’が最小化されるとか消えることができる。
【００４５】
以後、第４スイッチ（Ｓ４）のターンオンによって第４電圧（Ｖ４）が電極（ＥＬＤ）に印加されて電極（ＥＬＤ）の電圧はグラウンドレベルで維持される。
【００４６】
図７の第１実施形態はエネルギー供給回収部３００のそれぞれのキャパシターの容量が等しい場合やエネルギー供給回収部３００を構成する ３個以上のキャパシター中の一つまたは一つ以上のキャパシターの容量は残りキャパシタの容量と違うことができる。
【００４７】
図８は本発明によるプラズマディスプレイ装置の駆動方法による駆動波形図の第２実施形態である。 図８を参照すれば、３個のキャパシター(Ｃｓ１、Ｃｓ２、Ｃｓ３) 中の一つ以上は他のキャパシターと容量が違う。 すなわち、 第２キャパシター（Ｃｓ２）の容量が残りキャパシター(Ｃｓ１、Ｃｓ３)の容量より大きい。 このような場合にもエネルギー供給の時電極（ＥＬＤ）の電圧が充分に第３電圧であるサステイン電圧（Ｖｓ）まで上昇することができるし、エネルギー回収の時、電極（ＥＬＤ）の電圧が充分に第４電圧であるグラウンドレベルまで降下することができる。
【図面の簡単な説明】
【００４８】
【図１】一般的なプラズマ表示パネルの構造を示す斜視図。
【図２】従来のプラズマディスプレイ装置のエネルギー回収回路を示す図。
【図３】従来のプラズマディスプレイ装置のエネルギー回収回路の理想的な動作によって形成される電流の電圧の波形図。
【図４】従来のエネルギー回収回路の実際動作によって形成される波形を示す図。
【図５】本発明によるプラズマディスプレイ装置の構成図。
【図６】本発明によるエネルギー供給回収部の他の実施形態を示す図。
【図７】本発明によるプラズマディスプレイ装置の駆動方法による駆動波形図の第１実施形態を示す図。
【図８】本発明によるプラズマディスプレイ装置の駆動方法による駆動波形図の第２実施形態を示す図である。
【符号の説明】
【００４９】
Ｓ１からＳ４  第１〜第４スイッチ
Ｃｓｓ  キャパシタ
Ｌ  インダクタ
Ｖｓ  サステイン電圧
ＥＬＤ  電極
Ｖｐ  パネル電圧（電極電圧）
Ｖｓ１（Ｖｓｏｕｒｃｅ）  ソース電圧（源）
Ｖｓ２（Ｖ３）  第３電圧（源）
Ｐａｎｅｌ  パネル
【図１】
2006079086.tif 000003
【図２】
2006079086.tif 000004
【図６】
2006079086.tif 000005
【図３】
2006079086.tif 000006
【図４】
2006079086.tif 000007
【図５】
2006079086.tif 000008
【図７】
2006079086.tif 000009
【図８】
2006079086.tif 000010